(57)【要約】【課題】空気清浄機などに使用される脱臭フィルターの圧力損失を増やすことなく、脱臭効率を向上する。【解決手段】方形の升目を備えたネット１を構成する線材２の周囲のみに接着剤６により活性炭３を添着して構成する脱臭フィルター５において、ネット１の升目の中央に開口部４を設け、この開口部４の位置を複数枚のネット１で同一の位置になるように重ねて脱臭フィルター５を構成する。これにより、脱臭フィルター５の製造が容易で安価に供給することができ、また圧力損失が少なく、脱臭機能を安定して発揮することができる。【選択図】図１
2006043106.tif 000002
【特許請求の範囲】
【請求項１】
方形の升目を備えたネットを構成する線材の周囲に活性炭を添着し、ネットの升目の中心部には開口部を生じ、この開口部を上下に合わせ、開口部が連通するように活性炭添着後のネットを複数枚重ねてなる脱臭フィルター。
【請求項２】
少なくとも４〜２０メッシュサイズの粒子を含む活性炭と、ネットの１升目の開口サイズを５〜１２ｍｍとし、ネットの線径を０．５〜２．０ｍｍとした請求項１記載の脱臭フィルター。
【請求項３】
活性炭の添着量を７００〜１１００ｇ／ｍ２とするネットを複数枚重ねた請求項１記載の脱臭フィルター。
【請求項４】
活性炭の添着にホットメルトを使用し、ホットメルトの量を１５０〜２５０ｇ／ｍ２とする請求項１記載の脱臭フィルター。
【請求項５】
活性炭添着後のネットを、ホットメルトによって接着して重ねた請求項３または４記載の脱臭フィルター。
【請求項６】
直交する２端辺を棘部が無いように升目に合わせネットをカットし、複数枚を前記２端辺を基準として重ねた請求項１記載の脱臭フィルター。
【請求項７】
粒子サイズの９０％以上が２０メッシュ以上の活性炭と、活性炭を添着したネットを覆う不織布の目付け量を３０〜５０ｇ／ｍ２とした請求項１記載の脱臭フィルター。
【請求項８】
活性炭を添着したネットを覆う不織布の端をシールするシール部と、他の脱臭フィルターのシール部とを接合して連結した請求項１の脱臭フィルター。
【発明の詳細な説明】
【技術分野】
【０００１】
本発明は、空間内の空気環境を清浄に保つ空気清浄機にて使用する脱臭フィルターに関する。
【背景技術】
【０００２】
従来、この種の脱臭フィルターは、格子状の枠体に、接着剤で吸着剤を添着したものが知られている（例えば、特許文献１参照）。
【０００３】
以下、その脱臭フィルターについて図１１を用いて説明する。
【０００４】
図に示すように脱臭フィルター１０２は、格子枠１０１と、この格子枠１０１の壁面に添着する活性炭１０３からなっている。
【０００５】
この脱臭フィルター１０２は活性炭１０３の充填密度を高めて充填量を多くすることで脱臭性能を高めることができるが、それに付随して空気の圧力損失が高くなるものであった。
【特許文献１】特公平７−８３８１４号公報（図１、図５、図７）
【発明の開示】
【発明が解決しようとする課題】
【０００６】
このような従来の脱臭フィルターでは、活性炭量を増やして脱臭性能を高めようとすると、圧力損失が高くなるという課題があり、圧力損失を上げずに脱臭性能を向上させることが要求されている。
【０００７】
また、格子枠に活性炭を収納しているので、脱臭フィルターの設置場所が限定され、取扱いが不便で製造コストが高くなるという課題があり、フレキシブルで機器に簡単に設置できる安価な脱臭フィルターが要求されている。
【０００８】
本発明は、このような従来の課題を解決するものであり、圧力損失を上げることなく脱臭性能を向上、させるとともに、脱臭フィルターに可撓性を持たせ、破損し難く、ハンドリング性に優れ、安価に製造できる脱臭フイルターを提供することを目的としている。
【課題を解決するための手段】
【０００９】
本発明の脱臭フィルターは、上記目的を達成するために、方形の升目を備えたネットを構成する線材の周囲に活性炭を添着し、ネットの全面に渡って活性炭が覆うことなく、ネットの升目の中心部には開口部を生じ、この開口部を上下に合わせ、開口部が連通するように活性炭添着後のネットを複数枚重ねてなることとしたものである。
【００１０】
この手段により、活性炭を添着したネットを複数枚重ねることにより、必要な活性炭量を確保でき、脱臭性能の向上と圧力損失の低減をともに達成させることができ、脱臭フィルターに可撓性を持たせることのできる脱臭フィルターが得られる。
【００１１】
また、他の手段は、ネットの１升目の開口サイズを５〜１２ｍｍのネットを使用し、ネットの線径を５〜２．０ｍｍとしたものである。
【００１２】
これにより、ネットの線材の周囲に、４〜２０メッシュサイズの比較的大粒子径の活性炭が添着しても、ネットの升目の中心部に通風用の開口部を残すことができ、必要な活性炭量を確保でき、また、脱臭性能の向上と圧力損失の低減をともに達成させることができる脱臭フィルターが得られる。
【００１３】
また、他の手段は、少なくとも１枚のネットには、７００〜１１００ｇ／ｍ2の活性炭を添着し、このネットを少なくとも２枚重ねることにより、１４００ｇ／ｍ2以上の活性炭で脱臭フィルターを構成することとしたものである。
【００１４】
これにより、所定量の活性炭を確保でき、脱臭性能の向上と圧力損失の低減をともに達成させることができる脱臭フィルターが得られる。
【００１５】
また、他の手段は、活性炭の添着にホットメルトを使用し、ホットメルトの量を１５０〜２５０ｇ／ｍ2とすることにより、所定の活性炭を添着可能とし、添着量を７００〜１１００ｇ／ｍ2とすることとしたものである。
【００１６】
これにより、活性炭の表面積を損なうことなく所定量の活性炭を確保でき、脱臭性能の向上と圧力損失の低減をともに達成させることができる脱臭フィルターが得られる。
【００１７】
また、他の手段は、活性炭添着後のネットを複数枚重ねる際、ホットメルトによって接着して重ね、一旦揃えた上下のネット間で連通した開口部がずれないよう固定することとしたものである。
【００１８】
これにより、脱臭性能の向上と圧力損失の低減をともに達成させることができ、ハンドリング性に優れ、製造し易い脱臭フィルターが得られる。
【００１９】
また、他の手段は、直交する２端辺を棘部が無いように升目に合わせネットをカットし、複数枚を前記２端辺を基準として重ねることにより、上下の升目の開口部を容易に合わせることが可能としたものである。
【００２０】
これにより、生産工程で製造し易い形状となり、脱臭性能の向上と圧力損失の低減をともに達成させることができる脱臭フィルターが得られる。
【００２１】
また、他の手段は、粒子サイズの９０％以上が２０メッシュ以上の活性炭を添着したネットを不織布の目付け量を３０〜５０ｇ／ｍ2とした不織布で覆い、万一、添着した活性炭がネットから脱離しても、不織布からは脱落することとしたものである。
【００２２】
これにより、脱臭性能を維持することができ、脱臭フィルターに可撓性を持たせ、破損し難く、ハンドリング性に優れ、安価に製造できる脱臭フィルターが得られる。
【００２３】
また、他の手段は、活性炭を添着したネットを覆う不織布の端をシールするシール部と、他の脱臭フィルターのシール部とを接合連結し、この連結を繰り返すことにより、高表面積の脱臭フィルターを構成したものである。
【００２４】
これにより、表面積の広い機器にもフレキシブルに設置でき、脱臭性能の向上と圧力損失の低減をともに達成させることができ、ハンドリング性に優れ、安価に製造できる脱臭フィルターが得られる。
【発明の効果】
【００２５】
本発明によれば、省エネルギー化と機器への多様な対応を可能とするとともに、脱臭性能の向上と圧力損失の低減をともに達成させることができ、脱臭フィルターに可撓性を持たせ、破損し難く、ハンドリング性に優れ、安価に製造できる効果のある脱臭フイルターを提供できる。
【発明を実施するための最良の形態】
【００２６】
本発明の請求項１の発明の作用は、方形の升目を備えたネットを構成する線材の周囲に活性炭を添着し、ネットの全面に渡って活性炭が覆うことなく、ネットの升目の中心部には開口部を生じ、この開口部を上下に合わせ、開口部が連通するように活性炭添着後のネットを複数枚重ねたものであり、必要量の活性炭を確保できるため、所定の脱臭性能を確保できるとともに、上下のネット間で開口部が連通しているため、圧力損失を少なくできるという作用を有する。
【００２７】
また、少なくとも４〜２０メッシュサイズの粒子を含む活性炭と、ネットの１升目の開口サイズを５〜１２ｍｍとし、ネットの線径を０．５〜２．０ｍｍとしたものであり、活性炭を添着してもネットの中心部に開口部を残すことができるので、ネットが目詰まりしないという作用を有する。
【００２８】
また、活性炭の添着量を７００〜１１００ｇ／ｍ２とするネットを複数枚重ねたものであり、少なくとも、１４００ｇ／ｍ2以上の活性炭量を確保するという作用を有する。
【００２９】
また、活性炭の添着にホットメルトを使用し、ホットメルトの量を１５０〜２５０ｇ／ｍ２とするものであり、所定の活性炭をネットからの再脱離なくネットに添着でき、かつホットメルトが活性炭の周囲全部を覆うことがないので、活性炭の脱臭性能を低下させることがないという作用を有する。
【００３０】
また、活性炭添着後のネットを、ホットメルトによって接着して重ねたものであり、運搬や取替え等のハンドリングによってもネット間の連通した開口がずれることが無いので、ハンドリングによる圧力損失の上昇を抑える作用を有する。
【００３１】
また、直交する２端辺を棘部が無いように升目に合わせネットをカットし、複数枚を前記２端辺を基準として重ねたものであり、製造工程で上下の升目の開口部を容易に合わせることができるという作用を有する。
【００３２】
また、粒子サイズの９０％以上が２０メッシュ以上の活性炭と、活性炭を添着したネットを覆う不織布の目付け量を３０〜５０ｇ／ｍ２としたものであり、不織布による圧力損失の上昇を抑え、活性炭が外部に脱離することなく、表面が滑らかでフレキシブルになるという作用を有する。
【００３３】
また、活性炭を添着したネットを覆う不織布の端をシールするシール部と、他の脱臭フィルターのシール部とを接合連結したものであり、シール部とを接合連結し、この連結を繰り返すことにより、高表面積の脱臭フィルターを構成し、湾曲した機器に設置しやすく、折りたたみが可能なため運搬梱包も容易になるという作用を有する。
【００３４】
以下、本発明の実施の形態について、図面を参照しながら説明する。
【００３５】
（実施の形態１）
図１〜図６に示すように、方形の升目を備えたネット１を構成する線材２の周囲のみに接着剤６により活性炭３を添着する。  このときネット１の升目の開口サイズを５〜１２ｍｍのネット１を使用し、ネット１の線材２の線径を０．５〜２．０ｍｍとすることにより、ネット１の線材２の周囲に、４〜２０メッシュサイズの比較的大粒子径の活性炭３が添着しても、ネット１の升目の中心部は覆われず、開口部４を残すことができる。
【００３６】
次にネット１と同一形状のネット１ａを設け、ネット１、１ａの開口部４と開口部４ａを連通するように、上下にネット１、１ａを重ねて脱臭フィルター５を構成する。使用するネットは隣合わせに直交する２端辺７ａ、７ｂを棘部８が無いように升目に合わせネット１をカットし、複数枚を前記２端辺７ａ、７ｂを基準として重ねることにより、上下の升目の開口部４を容易に合わせることが可能な形状とする。
【００３７】
また活性炭３の添着にホットメルト１０を使用し、ホットメルト１０の量を１５０〜２５０ｇ／ｍ2  とすることにより、１枚のネット１への活性炭３の添着量を７００〜１１００ｇ／ｍ2とすることができる。このネット１を２枚重ねることにより、１４００ｇ／ｍ2以上の活性炭を保有した脱臭フィルター５を構成することになる。
【００３８】
このとき活性炭３添着後のネット１と同様のネット１ａを複数枚重ねる際、ホットメルト１０によって接着して重ね、一旦揃えた上下のネット１間で連通した開口部がずれないよう固定するようにしている。
【００３９】
これにより、脱臭フィルター５の製造が容易で安価に供給することができ、また圧力損失が少ないにもかかわらず、脱臭機能を安定して発揮することができる。すなわち、図７に示すように圧力損失が従来の脱臭フィルターに比べ約１／２と少なく、かつ、脱臭剤としての活性炭の量も確保できることができることから、図８に示すように脱臭能力を示す尺度のトルエンでの除去率を測定すると、本発明品は、従来品と比べ、同等以上の脱臭性能を持つことが実証できるものである。
【００４０】
（実施の形態２）
図９に示すように、粒子サイズの９０％以上が２０メッシュ以上の活性炭３を添着したネット１を目付け量を３０〜５０ｇ／ｍ2とした不織布８で覆い、周囲のシール部９をヒートシールして接着する。これにより、脱臭フィルター５は少しの変形に耐えてフレキシブルに設置でき、万一添着した活性炭３がネット１から脱離しても、不織布８からは脱落せず、活性炭３が脱落して脱臭能力は大幅に低下することはなく、活性炭３が周囲を汚すことも無いので、取扱いが容易となる。
【００４１】
また図１０に示すように、シール部とを接合連結し、この連結を繰り返すことにより、高表面積の脱臭フィルターを構成することができ、吸込み面積大なる空調機器や湾曲した吸込口などに設置しやすく、折りたたみが可能なため運搬梱包も容易となる。
【産業上の利用可能性】
【００４２】
圧力損失が少ない脱臭フィルターであるので、送風装置を内装した空調機器の全般に使用が可能である。
【図面の簡単な説明】
【００４３】
【図１】本発明の第１実施例の脱臭フィルターの構成図
【図２】同線材部分の断面図
【図３】同脱臭フィルターの側面図
【図４】同ネットの平面図
【図５】同脱臭フィルターの構成図
【図６】同側面図
【図７】同脱臭性能想定結果図
【図８】同圧力損失測定結果図
【図９】本発明の第２実施例の側面図
【図１０】同側面図
【図１１】従来の脱臭フィルターの斜視図
【符号の説明】
【００４４】
１      ネット
１ａ    ネット
２      線材
２ａ    線材
３      活性炭
３ａ    活性炭
４      開口部
４ａ    開口部
５      脱臭フィルター
５Ａ    脱臭フィルター
６      接着剤
７ａ    端辺
７ｂ    端辺
８      不織布
９      シール部  
１０    ホットメルト
【図１】
2006043106.tif 000003
【図２】
2006043106.tif 000004
【図３】
2006043106.tif 000005
【図４】
2006043106.tif 000006
【図５】
2006043106.tif 000007
【図６】
2006043106.tif 000008
【図７】
2006043106.tif 000009
【図８】
2006043106.tif 000010
【図９】
2006043106.tif 000011
【図１０】
2006043106.tif 000012
【図１１】
2006043106.tif 000013